(57)【要約】【課題】糸尻部５を有する紙製の外容器１に合成樹脂製の内容器２を挿設した二重容器を電子レンジ加熱用として用いた場合の焦げの発生を防止できるようにする。【解決手段】外容器１を中性紙で構成する一方、内容器２の底部７と胴部６間のコーナー部内面を曲率半径２〜６ｍｍの曲面とし、しかも内容器２の底部７の内面を曲率半径９０〜２００ｍｍで外側へ膨出した曲面とする。【選択図】      図１
2004161322.tif 000002
【特許請求の範囲】
【請求項１】
紙製胴部の下端を内側に折り返して、下方に屈曲された紙製底部の外周縁部を下方から挟み込んで一体化した紙製の外容器と、該外容器内に挿設された合成樹脂製の内容器とからなる電子レンジ加熱用二重容器において、外容器が中性紙で構成されている一方、内容器の底部と胴部間のコーナー部内面が曲率半径２〜６ｍｍの曲面となっており、しかも内容器の底部の内面が曲率半径９０〜２００ｍｍで外側へ膨出した曲面となっていることを特徴とする電子レンジ加熱用二重容器。
【請求項２】
外容器を構成する中性紙が、表面にクレーコートが施された中性紙であることを特徴とする請求項１に記載の電子レンジ加熱用二重容器。
【請求項３】
外容器を構成する中性紙が、耐油剤が含浸された中性紙であることを特徴とする請求項１に記載の電子レンジ加熱用二重容器。
【請求項４】
外容器の底部が、外容器の胴部を構成する中性紙より坪量の小さな中性紙で構成されていることを特徴とする請求項１〜３のいずれか１項に記載の電子レンジ加熱用二重容器。
【発明の詳細な説明】
【０００１】
【発明の属する技術分野】
本発明は、紙製胴部の下端を内側に折り返して、下方に屈曲された紙製底部の外周縁部を下方から挟み込んで一体化した紙製の外容器と、該外容器内に挿設された合成樹脂製の内容器とからなる二重容器であって、電子レンジによる液状内容物の加熱に供される電子レンジ加熱用二重容器に関する。
【０００２】
【従来の技術】
従来、紙製胴部の下端を内側に折り返して、下方に屈曲された紙製底部の外周縁部を下方から挟み込んで一体化した紙容器に液状内容物を入れ、電子レンジで加熱すると、内側に折り返した紙製胴部の下端と、下方に屈曲された紙製底部の外周縁部の接合領域である糸尻部付近に焦げを生じる場合があることから、底部を下方に凹状に形成することで、この焦げの発生を抑制できるようにすることが提案されている（例えば、特許文献１、２参照）。
【０００３】
上記従来の技術では、紙を構成するセルロースがマイクロ波を吸収することから、紙が重なる糸尻部では厚みが増して発熱量が増大すると共に、液状内容物と離れていることから蓄積された熱が液状内容物に逃げにくくなって焦げを生じていると考え、底部を下方に凹状とし、糸尻部に液状内容物を近付けることで、糸尻部に蓄積される熱を液状内容物に逃げやすくしているものである。
【０００４】
また、単なる紙容器ではなく、紙製胴部の下端を内側に折り返して、下方に屈曲された紙製底部の外周縁部を下方から挟み込んで一体化した紙製の外容器と、該外容器内に挿設された合成樹脂製の内容器とからなる二重容器も知られている（例えば、特許文献３参照）。
【０００５】
【特許文献１】
特開２００２−２１１５３３号公報
【特許文献２】
特開２００２−２１１５３４号公報
【特許文献３】
特開２００１−１８０６４９号公報
【０００６】
【発明が解決しようとする課題】
しかしながら、上記従来の紙容器のように底部を下方に凹状としても、糸尻部の直ぐ上方、特に胴部と底部間のコーナー部付近に焦げを生じやすい問題がある。
【０００７】
一方、上記のような焦げは、単なる紙容器にのみ発生するものではなく、上記糸尻部を有する紙製外容器に合成樹脂製内容器を挿設した従来の二重容器を電子レンジ加熱用として用いた場合にも同様に発生する場合がある。
【０００８】
本発明は、上記従来の問題点に鑑みてなされたもので、糸尻部を有する紙製の外容器に合成樹脂製の内容器を挿設した二重容器を電子レンジ加熱用として用いた場合の焦げの発生を防止できるようにすることを目的とする。
【０００９】
【課題を解決するための手段】
本発明者は、上記問題点を解決すべく研究した結果、容器の胴部と底部間のコーナー部付近の内容物が、その他の領域の内容物に比して加熱されやすく、厚く加熱されやすい糸尻部の熱に、やはり加熱されやすい上記コーナー部付近の内容物の熱が加わり、これによって胴部と底部間のコーナー部付近に焦げを生じやすくなっていることと、紙が一般に酸性であって、酸性であることが焦げを助長していることとを見出し、本発明に至ったものである。
【００１０】
即ち、本発明は、紙製胴部の下端を内側に折り返して、下方に屈曲された紙製底部の外周縁部を下方から挟み込んで一体化した紙製の外容器と、該外容器内に挿設された合成樹脂製の内容器とからなる電子レンジ加熱用二重容器において、外容器が中性紙で構成されている一方、内容器の底部と胴部間のコーナー部内面が曲率半径２〜６ｍｍの曲面となっており、しかも内容器の底部の内面が曲率半径９０〜２００ｍｍで外側へ膨出した曲面となっていることを特徴とする電子レンジ加熱用二重容器を提供するものである。
【００１１】
また、上記本発明は、外容器を構成する中性紙が、表面にクレーコートが施された中性紙であること、
外容器を構成する中性紙が、耐油剤が含浸された中性紙であること、
外容器の底部が、外容器の胴部を構成する中性紙より坪量の小さな中性紙で構成されていることを、
をその好ましい態様として含むものである。
【００１２】
【発明の実施の形態】
図面に基づいて本発明の一例を説明する。
【００１３】
図１は、本発明に係る電子レンジ加熱用二重容器の一例を示す縦断面図で、図中１が紙製の外容器、２が合成樹脂製の内容器である。
【００１４】
外容器１は、筒状をなす胴部３と、円盤状をなす底部４とから構成されている。胴部３の下端は内側に折り返されて、下方に屈曲された底部４の外縁部を挟み込んで接着され、糸尻部５を構成していると共に、これによって胴部３と底部４が一体化されている。
【００１５】
本発明における外容器１（胴部３及び底部４）は、中性紙で構成されている。外容器１を中性紙で構成しておくことにより、電子レンジによる加熱時の焦げを抑制することができる。
【００１６】
外容器１を構成する中性紙としては、耐焦げ付き性を高めることができることから、表面にクレーコートが施されたもの又は耐油剤が含浸されたものであることが好ましい。
【００１７】
外容器１の胴部３と底部４は、同じ中性紙で構成することもできるが、胴部３は、厚くすることによる発熱を抑えると共に、手で持ったときに簡単に変形しない強度と、手指への熱の伝達を抑えるために、坪量２５０〜３００ｇ／ｍ２程度の中性紙で構成することが好ましく、底部４は、糸尻部５の厚みを軽減して発熱量を抑えると共に、必要な強度を維持するために、坪量９０〜２００ｇ／ｍ２程度の中性紙で構成することが好ましい。即ち、底部４は、胴部３より坪量の小さな中性紙で構成することが好ましい。
【００１８】
本発明における外容器１は、できるだけ糸尻部５が低いものが好ましい。糸尻５を低くすることで、焦げやすい胴部３と底部４間のコーナー部の位置を、マイクロ波の弱い電子レンジの受け皿面に近付けることができ、一層焦げにくくすることができる。但し、糸尻部５を低くすると、胴部３と底部４間の接合面積が減り、両者を一体化しにくくなるので、一般的には５〜１５ｍｍ程度とすることが好ましい。
【００１９】
内容器２は、例えばポリエステル系フィルムをベースとした耐熱性積層フィルムから真空成形、圧空成形などによって一体成形されたもので、胴部６と、底部７と、上部開口部周縁から外方に張り出したフランジ部８を備えたものとなっている。
【００２０】
本発明に係る二重容器における内容器２は、胴部６と底部７間のコーナー部内面が、曲率半径ｒ＝２〜６ｍｍの曲面となっていると共に、底部７の内面が、曲率半径Ｒ＝９０〜２００ｍｍで外側へ膨出した曲面となっている。この内容器２のコーナー部と底部７の内面が上記曲率半径ｒとＲの曲面となっていることにより、外容器３の胴部３と底部４間のコーナー部と、内容器２の胴部６と底部７間のコーナー部間に隙間を持たすことができ、外容器１のコーナー部に液状内容物の熱が伝わりにくくなると共に、電子レンジにより加熱されやすい領域を上記内容器２のコーナー部から離すことができる。
【００２１】
更に説明すると、図２に示されるように、内容器２の胴部６と底部７間のコーナー部にほとんど丸味がなく、しかも底部７が平坦である場合、電子レンジによる液状内容物の加熱は、図中破線で示すように、コーナー部の直ぐ内側の領域に集中しやすい。これに対して内容器２の胴部６と底部７間のコーナー部内面に曲率半径ｒの丸味が形成され、しかも底部７の内面が曲率半径Ｒで外側へ膨出していると、電子レンジによる液状内容物の加熱時に加熱されやすい領域を、やはり図中破線で示すように、コーナー部から離すことができる。これは、マイクロ波の反射状態の変化や、液状内容物の体積に比してマイクロ波の照射面が広くなる領域の減少によるものと考えられる。従って、内容器２のコーナー部付近の液状内容物が急速に昇温することを防止することができ、この急速な昇温により外容器１が急速に加熱されることを抑制することができる。
【００２２】
本発明は、前記のように、外容器１を焦げを生じにくい中性紙で構成する一方、上記のように、内容器２の胴部６と底部７間のコーナー部内面に丸味をもたせると共に、底部７内面を外方に湾曲させることで、電子レンジにより加熱されやすい液状内容物の領域を内側に移動させ、外容器１への伝熱を抑制することで外容器１の焦げを防止するものである。特に本発明は、内容器２の底部７の内径が４０〜７０ｍｍで、容量が１５０〜３００ｃｃ程度の二重容器容器に対しての焦げ防止効果が高く、例えばコーヒー飲料用容器などとして好ましく用いることができるものである。
【００２３】
【実施例】
実施例１〜３
上部外径約６４ｍｍ、下部外径約５０ｍｍ、高さ約９５ｍｍ、糸尻高さ約１０ｍｍの紙製の外容器と、この外容器内に嵌まり合う合成樹脂製の内容器により二重容器を構成した。
【００２４】
外容器は、胴部には坪量２８０ｇ／ｍ２の中性紙を用い、底部には坪量１１０ｇ／ｍ２の中性紙を用いた。いずれもｐＨは６．４であった。また、内容器の胴部と底部間のコーナー部内面の曲率半径ｒと、外方に膨出した底部内面の曲率半径Ｒは表１に示されるとおりとした。
【００２５】
得られた二重容器に８０ｍｌの水を入れて、松下電器産業社製電子レンジ「ＮＥ−ＪＷ２５」のターンテーブルの端部から中心方向へ２０ｍｍの位置に置き、５分間加熱した。
【００２６】
上記加熱後、電子レンジから二重容器を取り出し、目視により、外容器外面での焦げの発生状態を観察して、焦げレベルを評価すると共に、実用性を判定した。結果を表１に示す。
【００２７】
表１における焦げレベルの評価は以下の基準により行った。
【００２８】
焦げレベル０：変化なし
焦げレベル１：一部小麦色
焦げレベル２：全周小麦色
焦げレベル３：焦げレベル２に加えて一部茶色化
焦げレベル４：焦げレベル３に加えて一部炭化
【００２９】
また、表１における実用性の判定結果の基準は以下の通りである。
【００３０】
○：実用性あり
△：実用性やや不足
×：実用性なし
【００３１】
実施例４
クレーコート紙（コート紙）を用いた他は、実施例１と同様にして二重容器を構成し、焦げレベルを評価すると共に、実用性を判定した。
【００３２】
実施例５
耐油剤含浸紙（耐油紙）を用いた他は、実施例１と同様にして二重容器を構成し、焦げレベルを評価すると共に、実用性を判定した。
【００３３】
比較例１
外容器をｐＨ４．５の酸性紙とした他は、実施例１と同様にして二重容器を構成し、焦げレベルを評価すると共に、実用性を判定した。
【００３４】
結果を表１に示す。
【００３５】
比較例２
内容器を、胴部と底部間のコーナー部の丸味を曲率半径ｒ＝１ｍｍ以下とし、底部を平坦にした他は、実施例１と同様にして二重容器を構成し、焦げレベルを評価すると共に、実用性を判定した。
【００３６】
結果を表１に示す。
【００３７】
比較例３
胴部をｐＨ４．５で坪量３００ｇ／ｍ２の酸性紙、底部をｐＨ４．５で坪量２１０ｇ／ｍ２の酸性紙とした他は、比較例２と同様にして二重容器を構成し、焦げレベルを評価すると共に、実用性を判定した。
【００３８】
結果を表１に示す。
【００３９】
【表１】
2004161322.tif 000003
【００４０】
【発明の効果】
本発明は、以上説明したとおりのものであり、外容器１に焦げを生じにくい中性紙を用いる一方、内容器２の胴部６と底部７間のコーナー部内面に丸味をもたせると共に、底部７内面を外方に湾曲させることで、電子レンジにより加熱されやすい液状内容物の領域を内側に移動させ、外容器１への伝熱を抑制することで、電子レンジによる加熱時の外容器１の焦げを防止できるようにしたもので、例えば店頭で加熱して販売するコーヒー飲料などの商品価値を高めることができるものである。
【図面の簡単な説明】
【図１】本発明に係る電子レンジ加熱用二重容器の一例を示す縦断面図である。
【図２】胴部と底部間のコーナー部にほとんど丸味がなく、しかも底部が平坦な内容器の加熱時の加熱されやすい領域の説明図である。
【図３】胴部と底部間のコーナー部内面に所定の曲率半径の丸味が形成され、しかも底部の内面が所定の曲率半径で外側へ膨出している内容器の加熱時の加熱されやすい領域の説明図である。
【符号の説明】
１  外容器
２  内容器
３  外容器の胴部
４  外容器の底部
５  糸尻部
６  内容器の胴部
７  内容器の底部
【図１】
2004161322.tif 000004
【図２】
2004161322.tif 000005
【図３】
2004161322.tif 000006